(57)【特許請求の範囲】
【請求項１】
給紙シャフトに装着された給紙ローラーにより原稿台上に積載された複数枚の原稿を上から一枚づつ給紙するべく構成され、前記給紙ローラーが原稿の主走査方向片側に偏位して配置された自動給紙装置において、前記給紙シャフトに連動して揺動するシャッターを前記給紙ローラーとは反対側において前記給紙シャフトに装着し、最上位原稿を搬送している間に斜傾した待機原稿を給紙シャフトの逆転に伴い正規位置に押し戻すようにしたことを特徴とする原稿斜行防止機構付き自動給紙装置。
【請求項２】
前記揺動シャッターはトルクリミッタを介して前記給紙シャフトに装着されていることを特徴とする請求項１に基づく自動給紙装置。
【発明の詳細な説明】
【０００１】
【発明の属する技術分野】
本発明は、ファクシミリ装置や複写機等において原稿等を自動供給するための自動給紙装置に係り、特に、自動給紙装置の原稿斜行防止機構に関する。
【０００２】
【従来の技術】
ファクシミリ装置や複写機においては、原稿台上に積載された複数枚の原稿を上から一枚づつ給紙するようになった自動給紙装置が使用されている。
図５に示したように、ある種の自動給紙装置においては、小さなサイズの原稿にも対応できるようにするため、原稿読み取り主走査方向片側に片寄った位置に給紙ローラー１と繰込みローラー２と分離ローラー３が配置してあり、主走査方向片側に突き当てた原稿を送り出すようになっている（例えば、特開平１１−７９４３５号）。
【０００３】
給紙ローラー１及び分離ローラー３の夫々の同軸上でかつ主走査方向反対側には、対を成す待機原稿傾き防止用ローラー４および５が夫々配置してあり、最上位の原稿を搬送している間に待機中の次の原稿が斜傾するのを阻止することにより次原稿の斜行を防止するようになっている。
更に、原稿載置台６には幅決めガイド７が配置してあり、原稿主走査方向の動きを規制することで原稿の斜行を防止するようになっている。
【０００４】
【発明が解決しようとする課題】
しかし、この従来の原稿斜行防止機構には、原稿傾き防止ローラー４および５を配置したことにより、構造が複雑化する、部品点数および部品コストが増加する、生産性が悪い、原稿傾き防止ローラーが摩滅しやすいので永久的に使用できない、保守性が悪い等の問題がある。
【０００５】
そこで、本発明の目的は、構造簡素で、部品点数および部品コストが少なく、生産性を向上させることが可能で信頼性に優れた原稿斜行防止機構を備えた自動給紙装置を提供することにある。
【０００６】
【課題を解決するための手段】
本発明は、給紙シャフトに装着された給紙ローラーにより原稿台上に積載された複数枚の原稿を上から一枚づつ給紙するべく構成され、前記給紙ローラーが原稿の主走査方向片側に偏位して配置された自動給紙装置において、トルクリミッタを内蔵する少なくとも１つの揺動シャッターを前記給紙ローラーとは反対側において前記給紙シャフトに装着し、最上位原稿を搬送している間に斜傾した待機原稿を給紙シャフトの逆転に伴い正規位置に戻すようにしたことを特徴とするものである。
【０００７】
最上位原稿の搬送に際しては、給紙シャフトに装着されている揺動シャッターは給紙シャフトの回転に伴い上方に回動しており、最上位原稿の送出を許容する。
最上位原稿の搬送が終わり、給紙シャフトが逆転すると、給紙シャフトに連動してシャッターが下方に回動し、斜傾した次順位の待機原稿を正規位置まで押し戻す。
【０００８】
【発明の実施の形態】
図１から図４を参照するに、自動給紙装置１０は原稿セット台１２を備え、この原稿セット台の片側には駆動部１４が配置されている。駆動部１４には先ず給紙シャフト１６が連結してあり、この給紙シャフト１６には原稿を給紙するための給紙ローラー１８が一体回転可能に装着してある。
【０００９】
給紙シャフト１６には、また、給紙シャフト１６が原稿送出方向に回転した時に降下し給紙シャフト１６が逆転した時に跳ね上げられる一対の揺動アーム２０が取付けてあり、この揺動アーム２０の先端には原稿繰込みローラー２２が回転可能に支持してある。
この繰込みローラー２２はギヤ列のような公知の伝動機構（図示せず）を介して給紙ローラー１８に連結してあり、揺動アーム２０が下がったときに給紙シャフト１６の駆動力が繰込みローラー２２に伝達され原稿を繰込むようになっている。
【００１０】
自動給紙装置１０は、更に、給紙ローラー１８に向かって付勢され給紙ローラー１８とは逆方向に回転駆動される原稿分離ローラー２４と、原稿を反転搬送する搬送ローラー２６と、搬送ローラー２６に原稿を接触させる押さえベルト２８と、原稿を排出する排出ローラー３０と、ピンチローラー３２を有する。
図１から分かるように、給紙ローラー１８、繰込みローラー２２、分離ローラー２４、および搬送ローラー２６は原稿の主走査方向片側に片寄って配置してある。
給紙ローラー１８とは反対側において原稿セット台１２には幅決め部材３４が配置してある。
【００１１】
本発明に従い、この自動給紙装置１０には原稿斜行防止機構３６が設けてある。この原稿斜行防止機構３６は、給紙ローラー１８とは反対側において給紙シャフト１６に装着された例えば２つの揺動シャッター３８で構成されている。夫々の揺動シャッター３８はその軸孔と給紙シャフト１６との間に介在させた摩擦リング４０の形のトルクリミッタを介して給紙シャフト１６に装着してあり、トルクリミッタ４０の摩擦力に応じた所定の駆動力が給紙シャフト１６から揺動シャッター３８に伝達されるようになっている。
【００１２】
非作動時における揺動シャッター３８の最大角位置はシャッター回転止め４２（図４）によって規制される。また、原稿走行面４４には作動時に夫々の揺動シャッター３８が係合する切欠き４６（図３）が設けてあり、作動時における揺動シャッター３８の角位置を規制するようになっている。
【００１３】
この自動給紙装置１０は図示しないファクシミリ装置又は複写機などに取付けて使用される。
駆動部１４からの駆動力を給紙シャフト１６に伝達させ、原稿走行方向４８に沿って原稿を繰り出すべく給紙シャフト１６を図において時計回りに回転させる。
給紙シャフト１６の回転に伴い、トルクリミッタ４０を介して伝達される回転力により揺動シャッター３８も時計回りに回転し、揺動シャッター３８は図４（Ａ）に示したようにシャッター回転止め４２に突き当たるまで上昇する。
【００１４】
同時に、給紙シャフト１６の回転駆動力により給紙ローラー１８は時計回りに回転し、図４（Ａ）に示したように揺動アーム２０を下方に降下させると共に、
伝動機構（図示せず）を介して繰込みローラー２２を回転させ、原稿を繰込む。
繰込まれた原稿は、給紙ローラー１８と接している分離ローラー２４との間で最上位の原稿５０のみが原稿走行方向に進むのが許容され、次原稿５２は分離ローラー２４によって押し戻される。
給紙ローラー１８を通過した最上位の原稿５０は、搬送ローラー２６と押さえベルト２８によって反転され、排出ローラー３０とピンチローラー３２によってファクシミリ装置又は複写機に送られる。
【００１５】
最上位の原稿５０が給紙ローラー１８を通過すると、駆動部１４は給紙シャフト１６を反時計方向に回転させる。
これにより、繰込みローラー２２を担持した揺動アーム２０は図４（Ｂ）に示したように上昇し、繰込みローラー２２を原稿から引き離す。
同時に、給紙シャフト１６に装着された揺動シャッター３８が反時計回りに回転し、最上位原稿５０の送出中に最上位原稿によって原稿走行方向に引っ張られて傾いた次原稿５２（今や最上位）を元に押し戻す。従って、次の原稿の斜行が防止される。
揺動シャッター３８は図４（Ｂ）に示したように切欠き４６の縁に突き当たった状態で待機する。
【００１６】
【発明の効果】
本発明によれば、トルクリミッタ４０を内蔵する少なくとも１つの揺動シャッター３８を給紙シャフト１６に装着するだけで原稿斜行防止機構を実現することができるので、従来必要であった待機原稿傾き防止用ローラー４、５及びそれらに付随する部品を削減することができる。
従って、本発明によれば、部品点数および部品コストが低減し、生産性と保守性が向上する。
また、本発明の原稿斜行防止機構は構造簡素であり、摩耗するおそれのある待機原稿傾き防止用ローラーがないので、信頼性と耐久性に優れる。
【図面の簡単な説明】
【図１】本発明の自動給紙装置の要部の平面図である。
【図２】図１のＩＩ−ＩＩ線に沿った模式的断面図である。
【図３】図１に示した自動給紙装置の斜視図である。
【図４】図１のＩＶ−ＩＶ線に沿った模式的断面図で、（Ａ）は揺動シャッターの非作動位置を、（Ｂ）は作動位置を示す。
【図５】従来の自動給紙装置の原稿斜行防止機構の斜視図である。
【符号の説明】
１０：  自動給紙装置
１２：  原稿セット台
１６：  給紙シャフト
１８：  給紙ローラー
３６：  原稿斜行防止機構
３８：  揺動シャッター
４０：  トルクリミッタ
４４：  原稿走行面
５０：  最上位原稿
５２：  次順位原稿
【図１】
0003616530.tif 000002
【図２】
0003616530.tif 000003
【図３】
0003616530.tif 000004
【図４】
0003616530.tif 000005
【図５】
0003616530.tif 000006